(57)【要約】      （修正有）【課題】林業者以外の人でも簡単に木に登れて枝打ちが出来る良い方法を提供する。【解決手段】岩昇りのロッククライミングからヒントを得たもので、ワイヤーロープ（以下、安全帯という）と併用しながら足に装着する金具で「ガニ」という。ガニを履き、腰に着けた安全帯の端を大木に回し、両手で持つ。安全帯をたくし上げながら、両足に履いた「ガニ」の爪を木に立てて体重を支え、一歩一歩よじ登ってゆくことができる。奥深い山中でも持ち運びが簡単で、梯子の届かない高い所まで上がれる。長時間作業していても足の負担が少なく能率が良い。【選択図】図１１
2004229629.tif 000002
【特許請求の範囲】
【請求項１】
足載せ金板の底部に、先端を尖らせた上爪を１本又は２本、上爪より長くした下爪を２本形成し、且つ下爪は上爪方向に木に刺さりやすい角度で湾曲させ、且つ下爪の内側の長さを外側より３〜６ミリ間短くした木登りガニの構造。
【請求項２】
足載せ金板の表部に、足固定バンドの通し穴を上爪側と下爪側に各々一箇所設け、下爪方向の通し穴の近棒にチューブ止めフックを形成した【請求項１】の記載の木登りガニの構造。
【発明の詳細な説明】
【０００１】
【発明が属する技術分野】本発明は木に登って枝打ちをする際、安全帯と併用しながら高い木の上で作業を行うための、足につける金具である。
【０００２】
【従来の技術】従来の木登り具は１本爪、又は１本梯子等が使われている。
【０００３】
【発明が解決しようとする課題】木登り具が軽量で、山奥深くまでの運搬が便利なこと。枝打ちの際、木の高くまで登れて長時間作業しても疲れないこと。しかも木への傷つきを少なくすること。等、課題が多かった。、
【０００４】
【発明が解決しようとするための手段】従来の一本爪では深く刺さりすぎるので片足の上爪を２本又は１本に、下爪を２本の計３本〜４本にする。そして上爪は短く、下爪は大きく伸ばし、木と足裏の角度が緩やかにすれば長時間の作業に耐えられる。下爪を上方向に向かって湾曲にすると、木への刺さり具合（抜き刺し）が良い。
【０００５】
【図１】斜視図。図はすべて右足用。
【０００６】
図２は正面図。（１１）の強化金具は、足の外側で真横あたりが最も体重がかかるので（１１）ａの部分を丸くし、足載せ金板（７）に取り付けた補強金具である。よって足の痛み防止と金属摩耗予防に役立つ。
【０００７】
図３は右側面図。内側の下爪（２）の長さは、外側の下爪（３）より、３〜６ミリ短くする。と、木は丸いため、爪の木へのあたりが良い。チューブ止めフック（１２）は、足につけたガニを長時間使用していて、ガニが前後にズレるのを防ぐために、後ろ足首に回したチューブを引っかけるための金具である。
【０００８】
図４は左側面図。上爪２本（１）、下爪２本（２，３）の場合。
【０００９】
図５は平面図。（８）の押さえ金具は、足載せ金板（７）と上、下両爪で１本になっている爪（図６参照）２本を押さえるための金具である。
【００１０】
図６は上爪２本（１）、下爪２本（２，３）の底面図である。
【００１１】
図７は上爪１本（１）、下爪２本（２，３）の底面図である。下爪（２，３）から上爪（１）に向かっての爪の長さは、上爪（図７）ｂまでとする。更に足載せ板につける上爪の位置は、２本の両上爪（図４）１の中心につける。更に真ん中の上爪１本（図７）１の周囲を肉厚強固にする。
【００１２】
図８は上爪（１）の寸法。内側、外側とも同寸法である。（ｄｅｆ，ｃ）間を２０〜２５ミリ、（ｄ，ｅ）間を９〜１３ミリ、（ｅ，ｆ）間を４〜８ミリとする。爪の根本部分（図８）ｄ，ｅ，ｆが足載せ板（図１）７の上部につく。
【００１３】
図９は外側下爪（２）の寸法。（ｈｉｊ，ｇ）間を１００〜１６０ミリ。内側下爪は外側下爪の、この寸法より３〜６ミリ短くする。（ｈ，ｉ）間を１２〜１５ミリ、（ｉ，ｊ）間を３〜６ミリとする。爪の根本部分（図９）ｈ，ｉ，ｊが足載せ板（図１）７の下部につく。
【００１４】
図１０は「ガニ」の装着図。足と「ガニ」がしっかり固定するように、（１３）の止めバンドをバンド通し穴（９、１０）に通して締める。（１４）のチューブは、この場合、直径１５５ミリのタイヤチューブを利用したもので、タイヤチューブを７〜８ミリ巾の輪切りにして、内側のバンド通し穴（図１０）９に通し二重にしてチューブ止めフック（図）１２に引っかける。タイヤチューブの他に、伸縮のあるゴム性のものを利用すれば良い。
【００１５】
図１１は実施図。図１１のように木と身体と腕とで三角になるようにする。「ガニ」を足に装着し、腰につけた安全帯の端を木に回し、反対側の手で回した安全帯の端を持って、持った両手をたくし上げながら、両手、右足、左足と順番に動かしながら登ってゆく。
【図面の簡単な説明】
【図１】斜視図
【図２】正面図
【図３】右側面図
【図４】左側面図
【図５】平面図
【図６】上爪２本、下爪２本の底面図
【図７】上爪１本、下爪２本の底面図
【図８】上爪の寸法
【図９】下爪の寸法
【図１０】ガニの装着図
【図１１】実施図
【符号】
１・・・上爪
２・・・内側下爪
３・・・外側下爪
４・・・上爪先
５・・・内側下爪先
６・・・外側下爪先
７・・・足載せ金板
８・・・押さえ止め金具
９・・・バンド通し穴
１０・・・バンド通し穴
１１・・・強化金具
１２・・・チューブ止めフック
１３・・・止めバンド
１４・・・止めチューブ
ａ・・・強化金具の中心位置
ｂ・・・上爪の端の位置
ｃ〜ｆ・・・上爪の寸法の位置
ｇ〜ｊ・・・下爪の寸法の位置
【図１】
2004229629.tif 000003
【図２】
2004229629.tif 000004
【図３】
2004229629.tif 000005
【図４】
2004229629.tif 000006
【図５】
2004229629.tif 000007
【図６】
2004229629.tif 000008
【図７】
2004229629.tif 000009
【図８】
2004229629.tif 000010
【図９】
2004229629.tif 000011
【図１０】
2004229629.tif 000012
【図１１】
2004229629.tif 000013
【手続補正書】
【提出日】平成15年9月23日(2003.9.23)
【手続補正１】
【補正対象書類名】明細書
【補正対象項目名】全文
【補正方法】変更
【補正の内容】
【特許請求の範囲】
【請求項１】足載せ金板の裏面に、先端を尖らせた上爪を１本又は２本、上爪より長くした下爪を２本形成し、且つ下爪は上爪方向に木に刺さりやすい角度で湾曲させ、且つ、
下爪の内側の長さを、外側の長さより３〜６ミリを短くした木登りガニの構造。
【請求項２】足載せ金板の両端部にバンド通し穴を、上爪側と下爪側に各々一箇所設け、下爪方向の通し穴の近棒にチューブ止めフックを形成した「請求項１」の記載の木登りガニの構造。
【発明の詳細な説明】
【０００１】
【発明が属する技術分野】本発明は木に登って枝打ちをする際、安全帯と併用しながら高い木の上で作業を行うための、足につける金具である。
【０００２】
【従来の技術】従来の木登り具は１本爪、又は１本梯子等が使われている。
【０００３】
【発明が解決しようとする課題】木登り具が軽量で、山奥深くまで運搬が便利なこと。
枝打ちの際、木の高い所まで登れて長時間作業しても疲れないこと。しかも木への傷つきを少なくすること。等、課題が多かった。
【０００４】
【発明が解決しようとするための手段】従来の１本爪では木に深く刺さり過ぎるので、
片足の上爪が１本、下爪が２本の計３本。又は上爪２本、下爪２本の計４本にする。更に、枝打ちする際の体勢及び足裏の角度を安定させるために、上爪は短く、下爪は長く伸ば
す。尚、上爪１本、下爪２本の計３本の場合は、比較的小さな木の枝打ちに適している。
【０００５】
【発明の実施の形態】【図１】においては、爪の長さを内側上爪（１）は外側上爪（２）より１〜３ミリ短く、又内側下爪（４）は外側下爪（５）より３〜６ミリ短くすることによって、爪の先端が丸い立木の表面に沿って引っかかりやすくなる。
【０００６】
【図２】に示すように、上爪が下爪方向に、下爪が上爪方向に湾曲になり、爪の先端が尖っていることによって、木に刺さる爪の抜き差しが容易で滑りにくい。
【０００７】
【図５】に記載した通り一本のハガネ条を曲げ、それぞれ上爪下爪を形成し、足載せ金板の表面（１０）にリベット（１２）で仮止めされ、溶接により固着される。更に足載せ金板の補強と足の負担を軽くするための強化金具（１５）は足載せ金板のコーナー部に溶接により取り付けられる。各爪をそれぞれ一本ずつで溶接すると、爪の角度、寸法、強度等に製造上のバラツキが生じ、安定した品質を造りだすことが困難であった。本案はハガネ条を、上下の爪先に焼き入れ等の先端加工を前もって施し、上爪、下爪の一体加工を行うことにより、安定した品質を得ることができる。
【０００８】
【図６】に記載した通り、前記ハガネ条の先端に加工した例としては内側上爪（１）、内側下爪（４）の付け根位置をａ，ｂ，ｃ，ｄとし、長さにおいて内側上爪（１）はａ〜６、ｂ〜６、ｃ〜６、ｄ〜６間を２０〜２８ミリ、内側下爪（４）はａ〜８、ｂ〜８、ｃ〜８、ｄ〜８間を１３０〜１６０ミリとし、爪付け根の幅においては、ａ〜ｂ、ｄ〜ｃ間を９〜１５ミリ、ｂ〜ｃ、ａ〜ｄ間を４〜８ミリとする。
【０００９】
【図７】に記載した通り、下爪側バンド通し穴（１４）から上爪側バンドと通し穴（１３）に止めバンド（１７）を通して、地下足袋の上から締め付け固定する。
【００１０】【図８】に記載した通り、幅２０ミリ、直径２００ミリ前後の輪にした伸縮性のあるゴムチューブ等を用意し、該チューブの端を上爪側バンド通し穴（１３）にくぐらせて止めチューブ（１８）を形成する。更に止めチューブの端を後ろ足首に回してチューブ止めフック（１６）に引っかけ、足首が固定される。
【００１１】
【図１０】に示す通り、腰に回したワイヤーロープを両手で持ち、身体をそらし両手を伸ばした姿勢で、足と手を交互に動かしながら一歩一歩よじ登ってゆく。
【００１２】
【発明の効果】
４本の爪の太さ、上爪、下爪の長さのバランスと緩いカーブ、そして鋭い爪先等がうまく調和して、木の表面を爪先が巧みに引っかける。又、止めバンドと止めチューブを使用することによって、地下足袋に「木登りガニ」がしっかり装着し、足元が安定して長時間、
楽に作業が出来る。
【図面の簡単な説明】
【図１】斜視図で図はすべて右足用である。
【図２】右足、後ろかかと側から見た正面図である。
【図３】内側下爪と外側下爪の長さを示した右側面図である。
【図４】上爪１本、下爪２本の場合の底面図である。
【図５】足載せ金板の表面に強化金具、裏面に爪を取り付けた構成図である。
【図６】内側上爪、内側下爪の寸法を示した図である。
【図７】バンド通し穴に止めバンドの通し方を示した図である。
【図８】止めチューブの結び方とチューブ止めフックの位置を示した図である。
【図９】枝打ちの際、地下足袋を履き「木登りガニ」に止めバンドと止めチューブを装着して、木に登る際の足元の実施図である。
【図１０】
枝打ちの実施図
【符号の説明】
１、内側上爪
２、外側上爪
３、１本上爪
４、内側下爪
５、外側下爪
６、内側上爪先
７、外側上爪先
８、内側下爪先
９、外側下爪先
１０、足載せ金板の表面
１１、足載せ金板の裏面
１２、リベット
１３、上爪側バンド通し穴
１４、下爪側バンド通し穴
１５、強化金具
１６、チューブ止めフック
１７、止めバンド
１８、止めチューブ
ａ、ｂ、ｃ、ｄ、爪の寸法位置


【手続補正２】
【補正対象書類名】図面
【補正対象項目名】全文
【補正方法】変更
【補正の内容】
【図１】
2004229629.tif 000014
【図２】
2004229629.tif 000015
【図３】
2004229629.tif 000016
【図４】
2004229629.tif 000017
【図５】
2004229629.tif 000018
【図６】
2004229629.tif 000019
【図７】
2004229629.tif 000020
【図８】
2004229629.tif 000021
【図９】
2004229629.tif 000022
【図１０】
2004229629.tif 000023